【手続補正書】
【提出日】平成16年7月30日(2004.7.30)
【手続補正１】
【補正対象書類名】明細書
【補正対象項目名】特許請求の範囲
【補正方法】変更
【補正の内容】
【特許請求の範囲】
【請求項１】
現在位置を検出する現在位置検出手段と、
地図データが記録された記録媒体を装着して該地図データを読み出す第１記憶手段と、
地図データの書き込みと読み出しが可能な不揮発性の第２記憶手段と、
前記第１記憶手段に装着されている前記記録媒体のイジェクト動作を指示可能な操作手段と、
前記操作手段により前記記録媒体のイジェクト動作が指示された場合、現在位置に応じて画定された所定領域を転送対象として、前記地図データを前記第１記憶手段により前記記録媒体から読み出し、前記第２記憶手段に転送して格納する地図データ転送手段と、
前記地図データ転送手段による転送終了後に前記記録媒体を前記第１記憶手段からイジェクトするイジェクト制御手段と、
前記記録媒体がイジェクトされた後、前記第２記憶手段に格納された地図データを用いて、ナビゲーション動作を制御するナビゲーション制御手段と、
を備えることを特徴とするナビゲーションシステム。
【請求項２】
前記第２記憶手段は、前記第１記憶手段よりも高速なアクセス速度で地図データの書き込みと読み出しが可能であることを特徴とする請求項１に記載のナビゲーションシステム。
【請求項３】
前記第２記憶手段は、ハードディスク装置であることを特徴とする請求項２に記載のナビゲーションシステム。
【請求項４】
前記第２記憶手段には、転送された地図データを格納する地図データ記憶領域が設定されることを特徴とする請求項１に記載のナビゲーションシステム。
【請求項５】
前記地図データ転送手段による転送の実行状態を告知する告知手段を更に備えることを特徴とする請求項１に記載のナビゲーションシステム。
【請求項６】
前記告知手段は、前記操作手段により前記記録媒体のイジェクト動作が指示された際、ナビゲーション動作の続行又は中止を選択させる案内メッセージを告知し、
前記操作手段は、前記案内メッセージに対応してナビゲーション動作の続行又は中止を指示可能であり、
前記操作手段によりナビゲーション動作の続行が指示された場合は前記地図データ転送手段が地図データの転送を行う一方、前記操作手段によりナビゲーション動作の中止が指示された場合は前記ナビゲーション制御手段がナビゲーション動作を中止することを特徴とする請求項５に記載のナビゲーションシステム。
【請求項７】
前記告知手段は、前記第２記憶手段に格納されている地図データを用いたナビゲーション動作中に、必要な地図データが前記第２記憶手段に格納されていない場合、前記第１記憶手段への前記記録媒体の装着を促す警告を告知し、
前記告知手段による警告に従って前記記録媒体が装着された場合は前記地図データ転送手段が前記必要な地図データの転送を行う一方、前記記録媒体が装着されない場合は前記ナビゲーション制御手段がナビゲーション動作を中止することを特徴とする請求項５に記載のナビゲーションシステム。
【請求項８】
前記告知手段は、前記警告に従って前記記録媒体が装着されない場合は、該警告を所定回数繰り返すと共に、
前記ナビゲーション制御手段は、前記所定回数の警告後、前記記録媒体が装着されない場合、ナビゲーション動作を中止することを特徴とする請求項７に記載のナビゲーションシステム。
【請求項９】
前記記録媒体には、全体地図を分割した単位ブロック毎のブロック地図データが記録され、前記第１記憶手段及び前記第２記憶手段に対する読み出しと書き込みは、前記ブロック地図データを単位として行われることを特徴とする請求項１に記載のナビゲーションシステム。
【請求項１０】
前記地図データ転送手段は、転送対象となるブロック地図データが前記第２記憶手段に既に格納されているか否かを判定し、前記第２記憶手段に格納されていないブロック地図データのみを転送することを特徴とする請求項９に記載のナビゲーションシステム。
【請求項１１】
前記地図データ転送手段は、現在位置を含む前記単位ブロックを基準とする複数の周辺単位ブロックからなる領域を転送対象とすることを特徴とする請求項９に記載のナビゲーションシステム。
【請求項１２】
前記地図データ転送手段は、現在位置から目的地までの最適経路周辺の複数の単位ブロックからなる領域を転送対象とすることを特徴とする請求項９に記載のナビゲーションシステム。
【請求項１３】
現在位置を検出する現在位置検出手段と、
地図データが記録された記録媒体を装着して該地図データを読み出す第１記憶手段と、
地図データの書き込みと読み出しが可能な不揮発性の第２記憶手段と、
前記第１記憶手段に装着されている前記記録媒体から前記第２記憶手段への地図データの転送を指示可能な操作手段と、
前記操作手段により地図データの転送が指示された場合、所定領域の前記地図データを前記第１記憶手段により前記記録媒体から読み出し、前記第２記憶手段に転送して格納する地図データ転送手段と、
を備えることを特徴とするナビゲーションシステム。
【請求項１４】
前記所定領域は、現在位置に応じて画定された領域であることを特徴とする請求項１３に記載のナビゲーションシステム。
【請求項１５】
前記所定領域は、ユーザにより指定された地点周辺又は領域であることを特徴とする請求項１３に記載のナビゲーションシステム。
【請求項１６】
前記所定領域は、現在位置から目的地までの最適経路周辺であることを特徴とする請求項１３に記載のナビゲーションシステム。
【請求項１７】
前記操作手段は、前記目的地を設定して最適経路の探索を指示可能であると共に、該最適経路探索の終了時に前記地図データ転送手段が前記所定領域の地図データを転送することを特徴とする請求項１６に記載のナビゲーションシステム。
【手続補正２】
【補正対象書類名】明細書
【補正対象項目名】０００７
【補正方法】変更
【補正の内容】
【０００７】
【課題を解決するための手段】
上記課題を解決するために、請求項１に記載のナビゲーションシステムは、現在位置を検出する現在位置検出手段と、地図データが記録された記録媒体を装着して該地図データを読み出す第１記憶手段と、地図データの書き込みと読み出しが可能な不揮発性の第２記憶手段と、前記第１記憶手段に装着されている前記記録媒体のイジェクト動作を指示可能な操作手段と、前記操作手段により前記記録媒体のイジェクト動作が指示された場合、現在位置に応じて画定された所定領域を転送対象として、前記地図データを前記第１記憶手段により前記記録媒体から読み出し、前記第２記憶手段に転送して格納する地図データ転送手段と、前記地図データ転送手段による転送終了後に前記記録媒体を前記第１記憶手段からイジェクトするイジェクト制御手段と、前記記録媒体がイジェクトされた後、前記第
２記憶手段に格納された地図データを用いて、ナビゲーション動作を制御するナビゲーション制御手段とを備えることを特徴とする。
【手続補正３】
【補正対象書類名】明細書
【補正対象項目名】０００８
【補正方法】変更
【補正の内容】
【０００８】
この発明によれば、ナビゲーションシステムには、例えばＤＶＤ−ＲＯＭやＣＤ−ＲＯＭ等の記録媒体を用いた第１記憶手段と、例えばハードディスク等の第２記憶手段を備えている。操作手段により記録媒体のイジェクト動作が指示されると、現在位置検出手段により検出された現在位置に応じた所定領域に対応する地図データが記録媒体から読み出され、第２記憶手段に転送される。転送終了後はイジェクト制御手段により第１記憶手段から記録媒体がイジェクトされる。その後、ナビゲーション制御手段は第２記憶手段の地図データを用いて表示処理等のナビゲーション動作を制御する。
【手続補正４】
【補正対象書類名】明細書
【補正対象項目名】００２８
【補正方法】変更
【補正の内容】
【００２８】
請求項１１に記載のナビゲーションシステムは、請求項９に記載のナビゲーションシステムにおいて、前記地図データ転送手段は、現在位置を含む前記単位ブロックを基準とする複数の周辺単位ブロックからなる領域を転送対象とすることを特徴とする。
【手続補正５】
【補正対象書類名】明細書
【補正対象項目名】００２９
【補正方法】変更
【補正の内容】
【００２９】
この発明によれば、地図データ転送手段は、現在位置が含まれる単位ブロックを求め、この単位ブロックを基準に現在位置周辺の単位ブロックの範囲を画定し、この範囲内のブロック地図データを転送する。よって、走行中の車両が通過する可能性の高い単位ブロックについて、事前にブロック地図データを第２記憶手段に転送しておくことができる。
【手続補正６】
【補正対象書類名】明細書
【補正対象項目名】００３０
【補正方法】変更
【補正の内容】
【００３０】
請求項１２に記載のナビゲーションシステムは、請求項９に記載のナビゲーションシステムにおいて、前記地図データ転送手段は、現在位置から目的地までの最適経路周辺の複数の単位ブロックからなる領域を転送対象とすることを特徴とする。
【手続補正７】
【補正対象書類名】明細書
【補正対象項目名】００３１
【補正方法】変更
【補正の内容】
【００３１】
この発明によれば、所望の目的地に至る最適経路が設定されると、地図データ転送手段は、最適経路上に重なる単位ブロックを求め、その周辺を含めて現在位置から目的地に沿って複数の単位ブロックの範囲を画定し、この範囲内のブロック地図データを転送する。よって、走行中の車両が予め通過することを予定している単位ブロックについて、事前にブロック地図データを第２記憶手段に転送しておくことができる。
【手続補正８】
【補正対象書類名】明細書
【補正対象項目名】００３２
【補正方法】変更
【補正の内容】
【００３２】
請求項１３に記載のナビゲーションシステムは、現在位置を検出する現在位置検出手段と、地図データが記録された記録媒体を装着して該地図データを読み出す第１記憶手段と、地図データの書き込みと読み出しが可能な不揮発性の第２記憶手段と、前記第１記憶手段に装着されている前記記録媒体から前記第２記憶手段への地図データの転送を指示可能な操作手段と、前記操作手段により地図データの転送が指示された場合、所定領域の前記地図データを前記第１記憶手段により前記記録媒体から読み出し、前記第２記憶手段に転送して格納する地図データ転送手段とを備えることを特徴とする。
【手続補正９】
【補正対象書類名】明細書
【補正対象項目名】００３４
【補正方法】変更
【補正の内容】
【００３４】
請求項１４に記載のナビゲーションシステムは、請求項１３に記載のナビゲーションシステムにおいて、前記所定領域は、現在位置に応じて画定された領域であることを特徴とする。
【手続補正１０】
【補正対象書類名】明細書
【補正対象項目名】００３５
【補正方法】変更
【補正の内容】
【００３５】
この発明によれば、請求項１３に記載の発明と同様の作用に加えて、操作手段により地図データの転送が指示されると、現在位置に応じた所定領域に対応する地図データが記録媒体から読み出され、第２記憶手段に転送される。よって、ユーザは、利用頻度が高いと想定される地図データを意図的にハードディスクに転送することができる。
【手続補正１１】
【補正対象書類名】明細書
【補正対象項目名】００３８
【補正方法】変更
【補正の内容】
【００３８】
請求項１６に記載のナビゲーションシステムは、請求項１３に記載のナビゲーションシステムにおいて、前記所定領域は、現在位置から目的地までの最適経路周辺であることを特徴とする。
【手続補正１２】
【補正対象書類名】明細書
【補正対象項目名】００４１
【補正方法】変更
【補正の内容】
【００４１】
この発明によれば、請求項１６に記載の発明と同様の作用に加えて、ユーザにより目的地が設定されたとき、最適経路を探索し、該探索終了後に現在位置から目的地までの所定領域の地図データが第１記憶手段から読み出され、第２記憶手段に転送される。よって、ユーザは地図データの転送を意識する必要はなく、目的地を設定するだけで自動的に転送処理が行われる。